(57)【要約】      （修正有）【課題】低コストで識別情報表示システムを構築するための表示データ出力装置を提供する。【解決手段】画像表示装置に表示データを出力する表示データ出力装置１において、複数の識別信号を受信する受信部１４と、縦横に画素が配列され画面領域よりも画素数が少ないデータ領域における各画素の点灯又は消灯を規定し、該データ領域内で所定の識別画像を表す画像データを、前記複数の識別信号の各識別信号に対応付けて記憶した画像データ記憶部としての機能を有するＲＯＭ１２２と、受信した識別信号に対応する画像データを、前記画像データ記憶部から選択する選択部に相当するＣＰＵ１２１とにより構成する。さらに、縦横に画素が配列され前記画面領域よりは画素数が少なく前記データ領域よりは画素数が多い表示領域内で、前記ＣＰＵ１２１で選択した画像データが表す識別画像と同じ画像を、該データ領域内で表される識別画像の大きさよりも大きくなるように拡大して表した表示データを出力する表示データ出力部とを備える。【選択図】図３
0003160628.tif 000002
【実用新案登録請求の範囲】
【請求項１】
画面領域に縦横に配列された画素を表示データに基づいて個別に点灯または消灯させることで該画面領域に画像を表示する画像表示装置に表示データを出力する表示データ出力装置において、
複数の送信機から送信される識別信号を受信する受信部と、
縦横に画素が配列され前記画面領域よりも画素数が少ないデータ領域における各画素の点灯又は消灯を規定することによって該データ領域内で所定の識別画像を表す画像データを、前記複数の送信機の各送信機から受信する識別信号に対応付けて記憶した画像データ記憶部と、
受信した識別信号に対応する画像データを、前記画像データ記憶部から選択する選択部と、
縦横に画素が配列され前記画面領域よりは画素数が少なく前記データ領域よりは画素数が多い表示領域内で、前記選択部で選択した画像データが表す識別画像と同じ画像を、該データ領域内で表される識別画像の大きさよりも大きくなるように拡大して表した表示データを出力する表示データ出力部とを備えたことを特徴とする表示データ出力装置。
【請求項２】
前記表示データ出力部は、
前記画面領域を縦横に区画したうちの一区画に対応する前記表示領域内で、前記選択部で選択した画像データが表す識別画像と同じ画像を、該データ領域内で表される識別画像の大きさよりも大きくなるように拡大して表した表示データを出力するものであることを特徴とする請求項１記載の表示データ出力装置。
【請求項３】
前記表示データ出力部は、
選択部によって選択された識別画像の数に合わせて前記画面領域を均等に区画したうちの一区画に対応する前記表示領域内で、前記選択部で選択した画像データが表す識別画像と同じ画像を、該データ領域内で表される識別画像の大きさよりも大きくなるように拡大して表した表示データを出力するものであることを特徴とする請求項２記載の表示データ出力装置。
【請求項４】
前記受信部は、複数種類に分類される複数の送信機から識別信号を受信するものであり、
前記表示データ出力部は、
前記表示領域内で、前記選択部で選択した画像データが表す識別画像と同じ画像を、該データ領域内で表される識別画像の大きさよりも大きくなるように拡大するとともに前記送信機の種類に応じた色を付して表した表示データを出力するものであることを特徴とする請求項１から３のいずれか１項記載の表示データ出力装置。
【請求項５】
請求項１から４のいずれか１項記載の表示データ出力装置と、
前記送信機と、
前記画像表示装置とを備えたことを特徴とする識別情報表示システム。
【考案の詳細な説明】
【技術分野】
【０００１】
本考案は、識別信号に対応する画像を表すデータを出力する装置に関する。
【背景技術】
【０００２】
従来、飲食店などで店員を呼び出すために設置されている識別情報表示システムがある。このシステムは、呼び出しボタンから送信される識別信号を受信して、その呼び出しボタンの番号を表示部に表示するものである。こうした識別情報表示システムについていくつか提案されている（例えば特許文献１）。
【先行技術文献】
【特許文献】
【０００３】
【特許文献１】特許第３４２３９４３号
【考案の概要】
【考案が解決しようとする課題】
【０００４】
しかし、こうした識別情報表示システムの表示部には、７セグメント表示装置といった画像表示装置が設けられたものがあり、表示態様がその画像表示装置によって制限されるという問題がある。また、画像表示装置が設置場所に合わない大きさの場合には、設置が困難であったり、設置が不可能であったりするという問題がある。
【０００５】
上記事情に鑑み本考案は、既存の画像表示装置を利用して識別情報表示システムを構築するための表示データ出力装置を提供することを目的とする。
【課題を解決するための手段】
【０００６】
上記課題を解決するため、本考案の表示データ出力装置は、
画面領域に縦横に配列された画素を表示データに基づいて個別に点灯または消灯させることでその画面領域に画像を表示する画像表示装置に表示データを出力する表示データ出力装置であって、
複数の送信機から送信される識別信号を受信する受信部と、
縦横に画素が配列され上記画面領域よりも画素数が少ないデータ領域における各画素の点灯又は消灯を規定することによってそのデータ領域内で所定の識別画像を表す画像データを、上記複数の送信機の各送信機から受信する識別信号に対応付けて記憶した画像データ記憶部と、
受信した識別信号に対応する画像データを、上記画像データ記憶部から選択する選択部と、
縦横に画素が配列され上記画面領域よりは画素数が少なく上記データ領域よりは画素数が多い表示領域内で、上記選択部で選択した画像データが表す識別画像と同じ画像を、そのデータ領域内で表される識別画像の大きさよりも大きくなるように拡大して表した表示データを出力する表示データ出力部とを備えたことを特徴とする。
【０００７】
本考案の表示データ出力装置は、パーソナルコンピュータのように大容量のメモリやオペレーティングシステムを用いずに低コストの部品で作成できる。このため、低コストで識別情報表示システムを構築できる。さらに、低コストの既存の画像表示装置を利用することで、よりコストを抑えることができる。
【０００８】
ここで、上記表示データ出力装置は、
上記表示データ出力部が、
上記画面領域を縦横に区画したうちの一区画に対応する上記表示領域内で、上記選択部で選択した画像データが表す識別画像と同じ画像を、そのデータ領域内で表される識別画像の大きさよりも大きくなるように拡大して表した表示データを出力するものであってもよい。
【０００９】
この表示データ出力装置によれば、画像表示装置を用いて縦横に整列した識別情報を表示させることができ、観る者が識別情報を認識しやすくすることができる。
【００１０】
また、上記表示データ出力装置は、
上記表示データ出力部が、
選択部によって選択された識別画像の数に合わせて上記画面領域を均等に区画したうちの一区画に対応する上記表示領域内で、上記選択部で選択した画像データが表す識別画像と同じ画像を、そのデータ領域内で表される識別画像の大きさよりも大きくなるように拡大して表した表示データを出力するものであってもよい。
【００１１】
この表示データ出力装置によれば、識別情報の数に合わせて画像表示装置の画面を均等に区画し、その各区画に識別情報を表示することによって、観る者が識別情報を認識しやすくすることができる。
【００１２】
さらに、上記表示データ出力装置は、
上記受信部が、複数種類に分類される複数の送信機から識別信号を受信するものであり、
上記表示データ出力部が、
上記表示領域内で、上記選択部で選択した画像データが表す識別画像と同じ画像を、そのデータ領域内で表される識別画像の大きさよりも大きくなるように拡大するとともに上記送信機の種類に応じた色を付して表した表示データを出力するものであってもよい。
【００１３】
この表示データ出力装置によれば、複数の識別信号が送信されても、各識別情報を色分けして表示するような表示データを出力することができるため、画像表示装置を観る者が識別情報を認識しやすくすることができる。
【００１４】
上記課題を解決するため、本考案の識別情報表示システムは、
上記の表示データ出力装置と、
上記送信機と、
上記画像表示装置とを備えたことを特徴とする。
【００１５】
本考案の識別情報表示システムによれば、システム構築にかかるコストを抑えることができる。
【考案の効果】
【００１６】
本考案の表示データ出力装置によれば、既存の画像表示装置を利用して識別情報表示システムを構築することができる。
【図面の簡単な説明】
【００１７】
【図１】ＶＧＡ規格の信号の一例を示す図である。
【図２】本実施形態の識別情報表示システムを示す図である。
【図３】本実施形態の表示データ出力装置を示すブロック図である。
【図４】送信機の識別番号と画像情報の対応関係を表を用いて示す図である。
【図５】（ａ）は、第２ユニットのＲＡＭ内に設けられた画像領域を示す図であり、（ｂ）は、識別番号を表示する順番と（ａ）に示す各区画を対応付けたテーブルを示す図である。
【図６】図５（ｂ）に示すテーブルに識別番号が格納されたことを示す図であり、（ｂ）は、（ａ）に示すテーブルに従って、画像領域に数字を表す画像情報が配置された様子を示す図である。
【図７】図５（ａ）に示す各区画を、画像表示装置の画面上に対応付けた様子を示す図である。
【図８】図６（ｂ）に示す画像領域の各区画にある画像が、図７に示す区画に拡大されて配置された様子を示す図である。
【図９】第１ユニットの動作を示すフローチャートである。
【図１０】第２ユニットの動作を示すフローチャートである。
【図１１】アルファベットを表す画像情報の一例を示す図である。
【図１２】片仮名を表す画像情報の一例を示す図である。
【図１３】記号を表す画像情報の一例を示す図である。
【考案を実施するための形態】
【００１８】
以下、図面を用いて本考案の表示データ出力装置および識別情報表示システムの実施形態について説明するが、この説明の理解を助けるために、まず映像信号の規格の一つであるＶＧＡ規格について説明する。
【００１９】
ＶＧＡ規格に準拠する信号は、ＲＧＢ信号、垂直同期信号、および水平同期信号によって構成される（以下、これらの信号をまとめてＶＧＡ信号と称することがある）。ＲＧＢ信号は、赤（Ｒ）緑（Ｇ）青（Ｂ）の輝度を示すアナログ信号である。垂直同期信号は、画面を更新する際に送信される垂直同期パルスを含む信号である。水平同期信号は、１行の表示毎に送信される水平同期パルスを含む信号である。
【００２０】
図１は、ＶＧＡ規格の信号の一例を示す図である。なお、ＲＧＢ信号は３つの信号から成る信号であるが、この図１では説明を簡潔にするために、３つの信号が一つにまとめて示されている。この図に示す信号は横６４０画素、縦４８０画素の画像を６０Ｈｚの周期で表示するための信号である。
【００２１】
図１（ａ）には、上記ＶＧＡ信号のうち、ＲＧＢ信号と垂直同期信号（図中のＶＳｙｎｃ）が示されている。この図には、垂直同期信号において垂直同期パルスが６０Ｈｚ、すなわち１６．６ｍｓ毎に出力されている様子が示されている（図中に示すＴ１０参照）。この垂直同期パルスが出力されてから、次の垂直同期パルスが出力されるまでの間に、ＲＧＢ信号によって１画面分の画素の輝度情報が出力される。
【００２２】
ここで、図１（ａ）に示すＶＧＡ信号を４つの期間に分けて、上記輝度情報を出力するタイミングについて説明する。まず、１つ目の期間（図中に示すＴ１１参照）は、上記説明した垂直同期パルスが出力される期間である。２つ目の期間（図中に示すＴ１２参照）は、いわゆるバックポーチと呼ばれる期間であり、画像を調整するためにＲＧＢ信号が輝度情報を出力しない期間である。なお、輝度情報を出力しないとは、３色全ての輝度が０であることを示す情報を出力することを含み、以降特に記載がない限り同様の意味で用いる。３つ目の期間（図中に示すＴ１３参照）は、上記説明した１画面分の画素の輝度情報が出力される期間である。より詳細には、画面の上から順に４８０行分の輝度情報が出力される期間である。４つ目の期間（図中に示すＴ１４参照）は、いわゆるフロントポーチと呼ばれる期間であり、画像を調整するためにＲＧＢ信号が輝度情報を出力しない期間である。この図１（ａ）に示すタイミングで出力される各信号を、ＶＧＡ規格に準拠した画像表示装置が受信することで、画像が表示される。
【００２３】
次に、図１（ｂ）を用いて上記説明した３つ目の期間の信号のうち、１行分に相当する部分について説明する。
【００２４】
図１（ｂ）には、上記ＶＧＡ信号のうち画面の１行分に相当する輝度情報が出力されている期間における、ＲＧＢ信号および水平同期信号（図中のＨＳｙｎｃ）が示されている。この図には、水平同期信号において垂直同期パルスが３１．７７μｓ毎に出力されている様子が示されている（図中に示すＴ２０参照）。この水平同期パルスが出力されてから、次の水平同期パルスが出力されるまでの間に、ＲＧＢ信号によって１行分の画素の輝度情報が出力される。
【００２５】
ここで、上記輝度情報を出力するタイミング等について、図１（ｂ）に示すＶＧＡ信号を、４つの期間に分けて説明する。まず、１つ目の期間（図中に示すＴ２１参照）は、上記説明した水平同期パルスが出力される期間である。２つ目の期間（図中に示すＴ２２参照）は、いわゆるバックポーチと呼ばれる期間であり、画像を調整するためにＲＧＢ信号が情報を出力しない期間である。３つ目の期間（図中に示すＴ２３参照）は、上記説明した１行分の画素の輝度情報が出力される期間である。より詳細には、行の左端から右側に向かって順に一画素ずつ６４０画素分の輝度情報が出力される期間である。４つ目の期間（図中に示すＴ２４参照）は、いわゆるフロントポーチと呼ばれる期間であり、画像を調整するためにＲＧＢ信号が情報を出力しない期間である。
【００２６】
本実施形態の表示データ出力装置は、上記説明したＶＧＡ規格に準じた信号を出力するものである。また、本実施形態の識別情報表示システムは、この表示データ出力装置を用いるものである。以下、これらの詳細について説明する。
【００２７】
図２は、本実施形態の識別情報表示システムを示す図である。
【００２８】
図２に示す本実施形態の識別情報表示システム２は、表示データ出力装置１と、この表示データ出力装置１から出力されるＶＧＡ信号を受けて液晶表示画面Ｄに画像を出力する画像表示装置２０と、信号を無線で表示データ出力装置１に送信する複数の送信機３０を備えている。この送信機３０はボタン３１が設けられている。このボタン３１を押すとボタン３１が押された送信機３０に割り振られた固有の識別番号を含む信号が表示データ出力装置１に送信される。表示データ出力装置１は、受信した識別番号に応じた画像を示す情報を画像表示装置２０に出力する。画像表示装置２０は、ＶＧＡ信号に従って横６４０画素、縦４８０画素の大きさの画面を表示することができるものである。
【００２９】
図３は、本実施形態の表示データ出力装置１を示すブロック図である。
【００３０】
図３に示す本実施形態の表示データ出力装置１は、横６４０画素、縦４８０画素の画像を６０Ｈｚの周期で表示するためのＶＧＡ信号を出力するものであり、第１ユニット１１、第２ユニット１２、発振器１３、および受信部１４を備えている。第１ユニット１１は、ＣＰＵ１１１、ＲＯＭ１１２、ＲＡＭ１１３、およびカウンタ１１４を備えている。第２ユニット１２は、ＣＰＵ１２１（本考案の選択部および表示データ出力部の一例に相当）、ＲＯＭ１２２（本考案の画像データ記憶部に相当）、ＲＡＭ１２３、およびカウンタ１２４を備えている。
【００３１】
第１ユニット１１に設けられたＲＯＭ１１２には、後述するメイン処理用の第１メインプログラムが記憶されている。このプログラムをＣＰＵ１１１が実行することにより、第１ユニットから水平同期信号および垂直同期信号が出力される。さらに、第２ユニット１２に対して、この第２ユニット１２のＲＡＭ１２３に設けられた画像領域（詳細は後述する）のうちのどの行を出力するかの指示が、これらの同期信号に合わせたタイミングで出力される。
【００３２】
第２ユニット１２に設けられたＲＯＭ１２２には、ＲＧＢ信号を出力するための第２メインプログラム、信号を受信したときの処理を行うための出力情報更新プログラム、および数字を表す画像情報が格納されている。ＲＡＭ１２３には、画像表示装置２０に出力する画像情報を格納するために、画像領域が設けられている。ＣＰＵ１２１によって第２メインプログラムが実行されると、第１ユニット１１からの指示に従って、ＲＡＭ１２３に設けられた画像領域に格納された画像情報を含むＲＧＢ信号を出力する。
【００３３】
受信部１４は、無線により送信される番号表示信号又は番号削除信号を受信して、その信号を第２ユニット１２に送信する。ここで、番号表示信号とは、上記識別番号に対応する数字を画像表示装置２０の画面Ｄに表示させるための信号であり、番号削除信号とは、上記識別番号に対応する数字を画像表示装置２０の画面Ｄから削除させるための信号である。この信号を受信した第２ユニット１２では、ＲＯＭ１２２に格納されている上記出力情報更新プログラムが、後述する第２ユニットメイン処理に割り込み、以下の処理が実行される。第２ユニット１２が番号表示信号を受信すると、この番号表示信号によって示される個体識別番号に対応する画像情報がＲＯＭ１２２から読み出されて、ＲＡＭ１２３内の画像領域に記憶される。第２ユニット１２が番号削除信号を受信すると、この番号削除信号によって示される個体識別番号に対応する画像情報がＲＡＭ１２３内の画像領域から削除される。
【００３４】
本実施形態の送信機３０は、ボタン３１が押下されてから離されまでの操作時間が３秒未満の場合は番号表示信号を送信し、操作時間が３秒以上の場合は番号削除信号を送信するものである。なお、これらの信号を送信するためのボタンを別々に設けたり、表示データ出力装置１に番号を削除する機能を設けてもよい。
【００３５】
第１ユニット１１および第２ユニット１２は、発振器１３からの信号により動作する。この発振器１３を共有することによって、第１ユニット１１から出力される水平同期信号および垂直同期信号に、第２ユニット１２から出力されるＲＧＢ信号を容易に同期させることができる。なお、第１ユニット１１のカウンタタイマ１１４と、第２ユニット１２のカウンタタイマ１２４は、ＶＧＡ信号の各タイミングを合わせる際に用いられる。
【００３６】
本実施形態の表示データ出力装置１は、送信機３０から送信される信号にしたがって、ＲＡＭ１２３の画像領域に画像を配置する。そして、この第２ユニット１２のＲＡＭ１２３内に設けられた画像領域から画像を表す画像情報を読み出し、その画像を拡大したことを表すＶＧＡ信号を出力する。以下、図４から図８を用いてこの一連の動作について説明する。
【００３７】
図４は、送信機の識別番号と画像情報の対応関係を表を用いて示す図である。
【００３８】
この図に示すテーブルには、送信機の識別番号と、これに対応する画像およびこの画像の配色が示されている。このテーブルは、第２ユニット１２のＲＯＭ１２２に格納されている。第２ユニット１２のＣＰＵ１２１が番号表示信号を受信すると、このテーブルを参照して対応する数字を示す画像情報が読み出され、この情報が示す画像がＲＡＭ１２３に設けられた画像領域に配置される。例えば、識別番号０００１を受信した場合には、赤色の２ケタの数字１２を示す画像が画像領域に格納される。
【００３９】
図５（ａ）は、第２ユニット１２のＲＡＭ１２３に設けられた画像領域Ｗを示す図である。この図５（ａ）に示す画像領域Ｗは、横４０画素、縦２１画素の画像に相当する領域である。各画素の情報量は、赤、緑、青、それぞれ１ｂｉｔ、合計３ｂｉｔである。すなわち、画像領域Ｗは、全体で３ｂｉｔ×４０×２１＝２５２０ｂｉｔ（３１５Ｂｙｔｅ）の情報を記憶する領域である。この画像領域Ｗは横５画素、縦７画素の区画が、横８区画、縦３区画に分けられている（Ｗ０１、Ｗ０２、・・・、Ｗ２３、Ｗ２４）。この各区画に数字を表す画像が配置される。この区画が、本考案のデータ領域の一例に相当する。
【００４０】
図５（ｂ）は、識別番号を受信した順番と（ａ）に示す各区画を対応付けたテーブルを示す図である。このテーブルは第２ユニット１２のＲＡＭ１２３に設けられており、識別番号を受信するとこのテーブルの上から順に識別番号が格納される。本実施形態の表示データ出力装置１では、上記区画が２区画ずつ使用され、２ケタの数字が１２個表示されるものとする。なお、１３個以上識別情報を受信した場合には、先着した１２個についての数字が表示され、１３個目以降の識別情報については、表示されている１２個の数字のいずれかが削除されたときに繰り上がって表示される。なお、表示されていない識別情報があるか否かがわかるように例えば表示画面の右下に矢印を表示させたり、表示されていない識別情報の数を表示させてもよい。この図に示すテーブルには、各識別番号に対応して、隣接する２つの区画が割り当てられており、例えば、最初に受信した識別番号に対応する２ケタの数字を示す画像は、左上の２つの区画Ｗ０１、Ｗ０２に格納されることが示されている。
【００４１】
図６（ａ）は、図５（ｂ）に示すテーブルに識別番号が格納されたことを示す図である。この図では、１２個の識別番号が格納されたことが示されている。第２ユニットのＣＰＵ１２１は、これらの識別番号に対応する画像情報を図４に示すテーブルから読み出し、この情報が示す画像がＲＡＭ１２３の画像領域Ｗに配置される。
【００４２】
図６（ｂ）は、図６（ａ）に示すテーブルに従って、画像領域Ｗに数字を表す画像情報が配置された様子を示す図である。
【００４３】
この図の上段にある８つの区画には、左から右に向かって１、２、３、４、５、６、７、８を示す画像が配置されている。この数字は、２ケタの数字１２、３４、５６、７８が配置されたものである。これと同様に、中段に配置されている数字は、９０、１２、３４、５６が配置されたものであり、下段に配置されている数字は、７８、９０、１２、３４が配置されたものである。
【００４４】
なお、送信機から識別番号削除信号を受信した場合、該当する識別番号が図６（ａ）に示すテーブルから削除されるとともに、下位の順番の識別番号が繰り上げられる。このテーブルの更新に合わせて、画像領域Ｗに配置されている数字も更新される。すなわち、削除された数字の部分に続く数字が詰めて表示されることになる。
【００４５】
以下、この図６（ｂ）に示す数字が画像表示装置２０に出力される場合について説明する。
【００４６】
図７は、図５（ａ）に示す各区画を、画像表示装置２０の画面上に対応付けた様子を示す図である。上述したように、画像表示装置２０は横６４０画素、縦４８０画素の大きさの画面を表示するものである。図５（ａ）において示した各区画は、この画面中に拡大されて配置される。この際、２ケタの数字が認識しやすくなるよう、拡大された各区画が間隔を開けて配置される。図７には、この拡大された各区画が、間隔（図中に示すＳＲ、ＳＣ１、ＳＣ２参照）を開けて配置されている様子が示されている。
【００４７】
図８は、図６（ｂ）に示す画像領域Ｗの各区画にある画像が、図７に示す区画に拡大されて配置された様子を示す図である。
【００４８】
図６（ｂ）と同様に、図８（ａ）には２４の区画が示され、各区画の画像は横方向に１２倍、縦方向に１５倍に拡大されて画像表示装置２０に出力される。図８（ｂ）には、図８（ａ）の一番左上の区画にある数字の１を示す画像のうち、最上段の画素が拡大される様子が示されている。また、図８（ｃ）には、拡大された各画像が、図７に示す区画に配置された様子が示されている。
【００４９】
以下、図９および図１０を用いて、図８（ｃ）に示す画面を表示させるためのＶＧＡ信号の出力の流れを説明する。
【００５０】
図９は、第１ユニット１１の動作を示すフローチャートである。このフローチャートは表示データ出力装置１の電源が投入されると、第１ユニット１１のＣＰＵ１１１によって実行される処理である。
【００５１】
最初のステップＳ１０１では、垂直同期パルスが出力される（図１（ａ）に示す１つ目の期間Ｔ１１参照）。
【００５２】
次のステップＳ１０２では、バックポーチ処理が実行される。具体的には、第２ユニット１２に出力指示をせず、ＲＧＢ信号に所定期間（本実施形態では１．０２ｍｓ）情報を出力させない処理が実行される（図１（ａ）に示す２つ目の期間Ｔ１２参照）。
【００５３】
以降説明するステップＳ１０３からステップＳ１１３の直前までが、図１（ａ）に示す３つ目の期間Ｔ１３に相当する。
【００５４】
ステップＳ１０３では、ＲＡＭ１１３内に設けられた出力行番号ＮＲの値に１がセットされる。この出力行番号ＮＲは、後述するステップＳ１０６において、図５に示す画像領域Ｗのうちどの行を出力するかを指示する際に用いられる値である。
【００５５】
ステップＳ１０４では、ＲＡＭ１１３内に設けられた行出力繰り返し回数ＲＲの値に１がセットされる。この行出力繰り返し回数ＲＲは、後述するステップＳ１０５およびステップＳ１０６を繰り返し実行させるために用いられる値である。
【００５６】
ステップＳ１０５では、水平同期パルスが出力される（図１（ｂ）に示す１つ目の期間Ｔ２１参照）。
【００５７】
ステップＳ１０６では、出力行番号ＮＲを指定してＲＧＢ信号を出力させる指示が、第２ユニット１２に送信される（図１（ｂ）に示す２つ目の期間Ｔ２２から４つ目の期間Ｔ２４参照）。
【００５８】
ステップＳ１０７では、行出力繰り返し回数ＲＲに１が加算される。
【００５９】
ステップＳ１０８では、行出力繰り返し回数ＲＲが１５以下であるか否かが判定され、１５以下である場合にはステップＳ１０５に戻り、そうでない場合にはステップＳ１０９に進む。このステップＳ１０８によって、ステップＳ１０５およびステップＳ１０６の処理が１５回繰り返され、同じ行の画素群が１５回続けて出力されることになる。このため、図５に示す区画に配置された画像は、縦方向に１５倍に拡大された画像になる（図８（ｂ）参照）。
【００６０】
ステップＳ１０９では、直前に出力した行がその区画の下端の行か否かが判定される。本実施形態の表示データ出力装置では、画像領域Ｗの一つの区画の縦の画素数が７画素であるため、出力行番号ＮＲの値が７の倍数か否かによって、区画の下端の行か否かが判定される。この条件を満たす場合には、ステップＳ１１０に進み、満たさない場合にはステップＳ１１１に進む。
【００６１】
ステップＳ１１０では、何も表示しない空行を出力する処理を実行する。ここでは、出力行番号ＮＲが７又は１４である場合に、水平同期パルスが８２回出力される。このとき第１ユニット１１から第２ユニット１２には出力指示がされず、第２ユニット１２からは、輝度が０であることを示すＲＧＢ信号が出力される。このステップＳ１１０によって、図７に示す間隔ＳＲ（ここでは８２行分の空間）が設けられる。
【００６２】
上述したように、画像領域Ｗの各区画に配置された画像は縦に１５倍に拡大されるため、画像表示装置２０の画面のうち、２１行×１５＝３１５行が画像の出力に用いられる。また、図７に示す２つの間隔ＳＲについては、８２行×２＝１６４行が用いられる。これらの行を合計すると４７９行が用いられることになるが、ＶＧＡ信号の規格に合わせて４８０行を出力するためにはもう１行余計に出力する必要がある。そこで出力行番号ＮＲが２１の場合は、何も表示しない空行（輝度値が０の画素からなる行）を１行出力させる。
【００６３】
ステップＳ１１１では、出力行番号ＮＲに１が加算される。
【００６４】
ステップＳ１１２では、出力行番号ＮＲが２１以下か否か、すなわち全ての行が出力されたか否かが判定され、２１以下である場合にはステップＳ１０４に戻り、そうでない場合にはステップＳ１１３に進む。
【００６５】
ステップＳ１１３では、フロントポーチ処理が実行される。具体的には、第２ユニット１２に出力指示をせず、ＲＧＢ信号に所定期間（本実施形態では０．３５ｍｓ）情報が出力されない処理が実行される（図１（ａ）に示す４つ目の期間Ｔ１４参照）。その後、再びステップＳ１０１に戻り、処理が繰り返される。
【００６６】
図１０は、第２ユニット１２の動作を示すフローチャートである。このフローチャートは図９に示すステップＳ１０６において、第１ユニット１１からの送信されるＲＧＢ信号の出力指示を受けた第２ユニット１２のＣＰＵ１２１によって実行される処理である。
【００６７】
最初のステップＳ２０１では、バックポーチ処理が実行される。具体的には、ＲＧＢ信号に所定期間（本実施形態では３．７７μｓ）情報を出力させない処理が実行される（図１（ｂ）に示す２つ目の期間Ｔ２２参照）。
【００６８】
以降説明するステップＳ２０２からステップＳ２１０の直前までが、図１（ｂ）に示す３つ目の期間Ｔ２３に相当する。
【００６９】
ステップＳ２０２では、ＲＡＭ１２３内に設けられた出力画素番号ＮＰの値に１がセットされる。この出力画素番号ＮＰは、後述するステップＳ２０４において、第１ユニット１１からの指示に従って画像領域Ｗの所定の行を出力するときに、その所定の行のうち何番目の画素を出力するかを決めるために用いられる値である。
【００７０】
ステップＳ２０３では、ＲＡＭ１２３内に設けられた画素出力繰り返し回数ＰＲの値に１がセットされる。この画素出力繰り返し回数ＰＲは、後述するステップＳ２０４を繰り返し実行させるために用いられる値である。
【００７１】
ステップＳ２０４では、第１ユニット１１から指定された出力行番号ＮＲと、ＲＡＭ１２３内の表示画素番号ＮＰの値によって定まる画素の輝度情報が出力される。
【００７２】
ステップＳ２０５では、画素出力繰り返し回数ＰＲに１が加算される。
【００７３】
ステップＳ２０６では、画素出力繰り返し回数ＰＲが１２以下か否かが判定され、１２以下である場合にはステップＳ２０４に戻り、そうでない場合にはステップＳ２０７に進む。このステップＳ２０６によって、ステップＳ２０４の処理が１２回繰り返され、同じ画素が１２回続けて出力されることになる。このため、図５に示す区画に配置された画像は、横方向に１２倍に拡大されることになる（図８（ｂ）参照）。
【００７４】
ステップＳ２０７では、直前に出力した画素がその区画の右端の画素か否かが判定される。本実施形態の表示データ出力装置では、一つの区画の横の画素数が５画素であるため、表示画素番号ＮＰの値が５の倍数か否かによって、区画の右端の画素か否かが判定される。この条件を満たす場合には、ステップＳ２０８に進み、満たさない場合にはステップＳ２０９に進む。
【００７５】
ステップＳ２０８では、輝度情報が０の画素を示すＲＧＢ信号が出力される。ここでは、出力画素番号ＮＰが５の倍数の場合には、輝度値が０であることを示すＲＧＢ信号が１２画素分出力され（図７に示す間隔ＳＣ１に相当）、出力画素番号ＮＰが１０の倍数の場合には、輝度値が０であることを示すＲＧＢ信号が３６画素分出力される（図７に示す間隔ＳＣ２に相当）。
【００７６】
上述したように、画像領域Ｗの各区画に配置された画像は横に１２倍に拡大されるため、画像表示装置２０の１行のうち、４０画素×１２＝４８０画素が画像の出力に用いられる。また、図７に示す間隔ＳＣ１については、１２画素×４＝４８画素、間隔ＳＣ２については、３６画素×３＝１０８画素がそれぞれ用いられる。これらの画素数を合計すると６３６画素が用いられることになるが、ＶＧＡ信号の規格に合わせて６４０画素を出力するためにはもう４画素余計に出力する必要がある。そこで出力画素番号ＮＰが４０の場合は、何も表示しない画素（輝度値が０の画素）を４画素出力させる。
【００７７】
ステップＳ２０９では、出力画素番号ＮＰに１が加算される。
【００７８】
ステップＳ２１０では、出力画素番号ＮＰが４０以下であるか否か、すなわち１行の画素が全て出力されたか否かが判定され、４０以下である場合にはステップＳ２０３に戻り、そうでない場合にはステップＳ２１０に進む。
【００７９】
ステップＳ２１１では、フロントポーチ処理が実行される。具体的には、ＲＧＢ信号に所定期間（本実施形態では０．９４μｓ）情報を出力させない処理が実行される（図１（ｂ）に示す４つ目の期間Ｔ２４参照）。その後、この第２ユニットメイン処理を終了する。
【００８０】
なお、図９および図１０に示す各ステップは、図３に示すカウンタタイマ１１４，１２４の値を参照して、各ステップの実行時間を調整しているものである。
【００８１】
表示データ出力装置１によって上記説明したフローチャートが実行されると、第２ユニット１２のＲＡＭ１２３に設けられた画像領域Ｗに記憶された画像が拡大されるとともに、間隔を設けて配置され、この画像を表すＶＧＡ信号が出力される。なお、各画素は３つの色情報をもっているため、この際表示される画像は、８色（うち１色は背景色）に色分け表示することができるものである。
【００８２】
本実施形態の表示データ出力装置１によれば、汎用されているＶＧＡ規格に準拠した画像表示装置を使用して識別情報表示システムを構築することができる。すなわち、設置場所に合わせて適切な画像表示装置を選択することができる。なお、本実施形態の表示データ出力装置、および識別情報表示システムは、横６４０画素、横４８０画素の解像度について動作するものであったが、用途によっては、例えば、横３２０画素、横２４０画素のものや、横２０４８画素、横１５３６画素のものであってもよい。画面の比率についても、例えば横と縦が１６：９であるといったように４：３に限られるものではない。また、出力信号の形式についても、ＶＧＡ規格のようなアナログ方式に限らず、ＤＶＩ規格のようなデジタル方式のものであってもよい。
【００８３】
また、本実施形態の表示データ出力装置１および識別情報表示システムによれば、７セグメント表示装置では表示することが不可能な、自然な表示態様の数字を画像表示装置に表示させることができるため、観る者に情報を理解しやすくすることができる。
【００８４】
図１１は、アルファベットを表す画像情報の一例を示す図である。図１２は、片仮名を表す画像情報の一例を示す図である。図１３は、記号を表す画像情報の一例を示す図である。これらの図に示すような画像情報を用いることにより、数字以外にも、使用状況によってはアルファベットなどの文字を表示させることができる。また、複数の色情報をもつため同じ文字を色分けして区別しやすくすることができ、また、同じ色を表示し続ける以外にも、例えば点滅させたり、グラデーション表示にしたりというような表示態様をとることもできる。これらの表示態様を時間経過によって変化させることによって、例えば呼び出し時間を把握して対応するといったことが可能になる。また、色数を増やしてより視認しやすくしてもよい。
【００８５】
ＶＧＡ信号ではＲＧＢの輝度値がアナログで規定されているため、ＲＧＢの輝度値を示すデジタル信号をアナログ信号に変換する必要があり、一般的にはＤ／Ａコンバータが用いられる。しかし、本実施形態の表示データ出力装置１は、ＲＧＢのそれぞれの色に１ｂｉｔの情報量しか割り当てられていないため、デジタル信号をそのままアナログ信号として用いることができる。すなわち、Ｄ／Ａコンバータが不要であるため、コストを抑えることができる。
【００８６】
本実施形態の表示データ出力装置１は、２ケタの数字を１２個配置した画像を示す信号を出力するものであったが、例えば、３ケタの数字を表示させたり、６個の数字を表示させたりというように表示態様を変えてもよい。また、表示する識別番号の数に応じて表示態様を変化させてもよい。さらに、複数の区画を使用して大きな文字および絵柄を表示させてもよい。これらの表示態様を切り換えることができるようにスイッチを設けたり、ＵＳＢ端子等を設けてコンピュータに接続し、そのコンピュータを用いて内部のプログラムを容易に変更できるようなソフトウェアを提供してもよい。
【００８７】
本実施形態の表示データ出力装置１は、動作周波数が２０ＭＨｚ以下のＣＰＵを２つ使用しているものである。このように動作が速くないＣＰＵであっても、複数組み合わせて構成して分担して処理させることで、コストを安く抑えることができる。例えば、このような動作の低いＣＰＵとＲＡＭ、ＲＯＭを組み込んだワンチップマイコンと呼ばれる半導体素子を複数使用することで、コストを安く抑えることができる。本実施形態の表示データ出力装置１においては、小さい画像データを拡大処理しているため、ワンチップマイコンのようにメモリがあまり多くないものであっても使用することができる。ワンチップマイコンを使用することによって、パーソナルコンピュータやオペレーティングシステムが不要になるため、コストを抑えることができる。なお、コストや設置場所等に特に制限がない場合は、高速なＣＰＵ１個で構成することもできる。
【００８８】
本実施形態の表示データ出力装置１は、例えば、飲食店等の店舗内に送信機３０を複数設置しておき、その送信機３０を客が操作できるようにしておくことで、店員を呼び出す場合に使用できる。また、工場内の機械と送信機３０とを対応付けておき、その機械に不具合が発生した場合に対応する送信機３０から表示データ出力装置１に識別信号が送信されるようにしておくことで、工場内のメンテナンス作業を効率よく行うことができる。大きな工場内の場合には、離れた場所からでも視認できるように大型の表示装置を採用することによって、作業員が工場内のどこにいてもメンテナンスすべき対象を把握することができる。
【００８９】
本実施形態の識別情報表示システム２によれば、上記説明した表示データ出力装置１を用いることで利便性の高い識別情報表示システムが低コストで構築できる。
【符号の説明】
【００９０】
１  表示データ出力装置
１１  第１ユニット
１１１  ＣＰＵ
１１２  ＲＯＭ
１１３  ＲＡＭ
１１４  カウンタ
１２  第２ユニット
１２１  ＣＰＵ
１２２  ＲＯＭ
１２３  ＲＡＭ
１２４  カウンタ
１３  発振器
１４  受信部
２  識別情報表示システム
２０  画像表示装置
３０  送信機
【図１】
0003160628.tif 000003
【図２】
0003160628.tif 000004
【図３】
0003160628.tif 000005
【図４】
0003160628.tif 000006
【図５】
0003160628.tif 000007
【図６】
0003160628.tif 000008
【図７】
0003160628.tif 000009
【図８】
0003160628.tif 000010
【図９】
0003160628.tif 000011
【図１０】
0003160628.tif 000012
【図１１】
0003160628.tif 000013
【図１２】
0003160628.tif 000014
【図１３】
0003160628.tif 000015